(57)【要約】【課題】足場板の上に作業者が載ることなく、設置することができるエレベータの仮設作業床装置を得る。【解決手段】乗場１０１に取り付けられ、乗場１０１から昇降路１０２の内部に延びる支持部材１と、昇降路１０２に設けられ、支持部材１に支持される床枠２と、床枠２に支持され、昇降路１０２の奥行方向に並べて配置される複数の足場板３とを備え、床枠２は、奥行方向に延びて形成され足場板を案内する一対のレール２２を有している。【選択図】図１
2016050102.tif 000002
【特許請求の範囲】
【請求項１】
乗場に取り付けられ、前記乗場から昇降路の内部に延びる支持部材と、
前記昇降路に設けられ、前記支持部材に支持される床枠と、
前記床枠に支持され、前記昇降路の奥行方向に並べて配置される複数の足場板と
を備え、
前記床枠は、前記奥行方向に延びて形成され前記足場板を案内する一対のレールを有していることを特徴とするエレベータの仮設作業床装置。
【請求項２】
前記レールおよび前記足場板の何れか一方には、前記奥行方向に延びた溝が形成されており、
前記レールおよび前記足場板の何れか他方は、前記溝に挿入される凸部を有していることを特徴とする請求項１に記載のエレベータの仮設作業床装置。
【発明の詳細な説明】
【技術分野】
【０００１】
この発明は、昇降路に仮設されるエレベータの仮設作業床装置に関する。
【背景技術】
【０００２】
従来、乗場に取り付けられ、乗場から昇降路の内部に延びる支持部材と、昇降路に設けられ、支持部材に支持される床枠と、床枠に支持され、昇降路の奥行方向に並べて配置される複数の足場板とを備えたエレベータの仮設作業床装置が知られている（例えば、特許文献１参照）。
【先行技術文献】
【特許文献】
【０００３】
【特許文献１】特開２００５−８９１４８号公報
【発明の概要】
【発明が解決しようとする課題】
【０００４】
しかしながら、それぞれの足場板が床枠にボルト等を用いて固定されるので、エレベータの仮設作業床装置を設置する際に、まず、最も乗場側に配置される足場板を床枠に固定し、その後、固定された足場板の上に作業者が載って、固定された足場板に隣り合う足場板を床板に固定しなければならないという問題点があった。
【０００５】
この発明は、足場板の上に作業者が載ることなく、設置することができるエレベータの仮設作業床装置を提供するものである。
【課題を解決するための手段】
【０００６】
この発明に係るエレベータの仮設作業床装置は、乗場に取り付けられ、乗場から昇降路の内部に延びる支持部材と、昇降路に設けられ、支持部材に支持される床枠と、床枠に支持され、昇降路の奥行方向に並べて配置される複数の足場板とを備え、床枠は、奥行方向に延びて形成され足場板を案内する一対のレールを有している。
【発明の効果】
【０００７】
この発明に係るエレベータの仮設作業床装置によれば、床枠が奥行方向に延びて形成され足場板を案内する一対のレールを有しているので、作業者は、床枠における乗場側の部分に足場板を載せてその足場板を昇降路側に押すことによって、全ての足場板を床枠に取り付けることができる。これにより、足場板の上に作業者が載ることなく、エレベータの仮設作業床装置を設置することができる。
【図面の簡単な説明】
【０００８】
【図１】この発明の実施の形態１に係るエレベータの仮設作業床装置を示す側面図である。
【図２】図１の床枠および足場板を示す斜視図である。
【図３】図１のエレベータの仮設作業床装置を組み立てる様子を示す側面図である。
【発明を実施するための形態】
【０００９】
実施の形態１．
図１はこの発明の実施の形態１に係るエレベータの仮設作業床装置を示す側面図である。エレベータの仮設作業床装置は、最上階の乗場１０１に取り付けられる支持部材１と、昇降路１０２に設けられ、支持部材１に支持される床枠２と、床枠２に支持される複数の足場板３とを備えている。
【００１０】
支持部材１は、乗場１０１から昇降路１０２の内部に延びて配置されている。支持部材１は、乗場１０１に立てられた一対の枠体１１と、下端部が枠体１１に接続され、上端部が昇降路１０２の内部に延びる梯子１２と、上端部が枠体１１に接続され、下端部が梯子１２に接続される斜材１３と、下端部が枠体１１に接続され、上端部が昇降路１０２の内部に延びる支持材１４とを有している。
【００１１】
それぞれの枠体１１は、乗場出入口の間口方向に離れて配置されている。枠体１１の下端部は、乗場１０１に固定されている。枠体１１の上端部は、乗場出入口の上方に位置する壁１０３に固定されている。
【００１２】
梯子１２は、上端部が下端部よりも乗場１０１から昇降路１０２の奥行方向に離れるように、水平面に対して傾斜して配置されている。ここで、昇降路１０２の奥行方向とは、乗場１０１から昇降路１０２を見たときの奥行方向であって、図１の矢印Ａの方向である。作業者は、梯子１２を登ることによって足場板３を床枠２に着脱することができる。梯子１２の上部は、床枠２に接続されている。
【００１３】
斜材１３は、下端部が上端部よりも乗場１０１から昇降路１０２の奥行方向に離れるように、水平面に対して傾斜して配置されている。斜材１３が梯子１２に接続されることによって、梯子１２は、傾斜した状態が維持される。
【００１４】
支持材１４は、上端部が下端部よりも乗場１０１から昇降路１０２の奥行方向に離れるように、水平面に対して傾斜して配置されている。支持材１４の上端部は、梯子１２の上端部よりも、乗場１０１から昇降路１０２の奥行方向に離れている。支持材１４の上端部は、床枠２に接続されている。
【００１５】
床枠２は、水平面に沿って配置されている。したがって、足場板３も、水平面に沿って配置されている。
【００１６】
図２は図１の床枠２および足場板３を示す斜視図である。床枠２は、昇降路１０２の奥行方向に延びる一対の水平梁２１と、それぞれの水平梁２１に設けられる一対のレール２２とを有している。それぞれのレール２２は、昇降路１０２の奥行方向に延びて形成されている。また、レール２２は、足場板３を案内するようになっている。それぞれのレール２２には、奥行方向に延びた溝２３が形成されている。
【００１７】
足場板３は、板本体３１と、板本体３１に設けられ、溝２３に挿入される凸部３２とを有している。足場板３は、凸部３２が溝２３に挿入された状態で、床枠２に対して昇降路１０２の奥行方向にスライド可能となっている。
【００１８】
床枠２は、全ての足場板３が床枠２に取り付けられる場合に昇降路１０２の奥行方向についての足場板３の移動が規制される規制部材（図示せず）を有している。
【００１９】
次に、エレベータの仮設作業床装置を組み立てる手順について説明する。図３は図１のエレベータの仮設作業床装置を組み立てる様子を示す側面図である。まず、作業者１０４は、床枠２が支持部材１に取り付けられた状態で支持部材１を乗場１０１に設置する。
【００２０】
その後、作業者１０４は、梯子１２に載り、足場板３を床枠２における最も乗場１０１側の部分に取り付け、床枠２に取り付けられた足場板３を昇降路１０２側にスライドさせる。その後、次の足場板３を同様にして、床枠２に取り付けてスライドさせる。全ての足場板３が床枠２に取り付けられることによって、エレベータの仮設作業床装置の組み立てが終了する。
【００２１】
以上説明したように、この発明の実施の形態１に係るエレベータの仮設作業床装置によれば、床枠２が奥行方向に延びて形成され足場板３を案内する一対のレール２２を有しているので、作業者１０４は、足場板３を床枠２に載せて、その足場板３を昇降路１０２側に押すことによって、全ての足場板３を床枠２に取り付けることができる。これにより、足場板３の上に作業者１０４が載ることなく、作業者１０４が乗場１０１にいる状態で、エレベータの仮設作業床装置を設置することができる。
【００２２】
また、レール２２には、昇降路１０２の奥行方向に延びた溝２３が形成されており、足場板３は、溝２３に挿入される凸部３２を有しているので、凸部３２を溝２３に挿入するだけで、昇降路１０２の奥行方向について足場板３を容易に案内することができ、エレベータの仮設作業床装置の設置作業の効率を向上させることができる。
【００２３】
なお、上記実施の形態１では、レール２２に溝２３が形成され、溝２３に挿入される凸部３２を足場板３が有する構成について説明したが、足場板３に溝が形成され、この溝に挿入される凸部をレール２２が有する構成であってもよい。
【符号の説明】
【００２４】
１  支持部材、２  床枠、３  足場板、１１  枠体、１２  梯子、１３  斜材、１４  支持材、２１  水平梁、２２  レール、２３  溝、３１  板本体、３２  凸部、１０１  乗場、１０２  昇降路、１０３  壁、１０４  作業者。
【図１】
2016050102.tif 000003
【図２】
2016050102.tif 000004
【図３】
2016050102.tif 000005